(57)【要約】【課題】  パネルと発光部との配置関係が制限的になることを抑えつつ、光漏れを抑えることが可能な空調室内機を提供する。【解決手段】  少なくとも空調に関する情報を、光によって表示する空調室内機２であって、第１ＬＥＤ２１と、表示パネル８０と、ＬＥＤカバー３０と、バネ構造５０とを備えている。表示パネル８０は、第１透過部８１と、第２透過部８２とを有している。第１透過部８１は、第１ＬＥＤ２１の光を透過させることができる。第２透過部８２は、上記表示パネル８０において第１透過部８１の周囲に設けられており、光を透過させることができる。ＬＥＤカバー３０は、第１ＬＥＤ２１の光のうち、少なくとも第２透過部８２に向かう光を遮る。バネ構造５０は、ＬＥＤカバー３０を表示パネル８０に押し付ける。【選択図】        図６
2006132843.tif 000002
【特許請求の範囲】
【請求項１】
少なくとも空調に関する情報を、光によって表示する空調室内機（２）であって、
第１発光部（２１）と、
前記第１発光部（２１）の光を透過させるための第１透過部（８１）と、前記第１透過部（８１）の周囲に設けられた第２透過部（８２）とを有するパネル（８０）と、
前記第２透過部（８２）に向かう前記第１発光部（２１）の光を遮る遮光部（３０）と、
前記遮光部（３０）を前記パネル（８０）に押し付けるバネ構造（５０）と、
を備えた空調室内機（２）。
【請求項２】
前記バネ構造によって、前記遮光部（３０）の少なくとも一部は前記パネル（８０）の第１透過部（８１）と第２透過部（８２）との間に押し付けられる、
請求項１に記載の空調室内機（２）。
【請求項３】
前記第２透過部（８２）に光を透過させるための第２発光部（２２）をさらに備え、
前記遮光部（３０）は、前記第１透過部（８１）に向かう前記第２発光部（２２）の光を遮る、
請求項１または２に記載の空調室内機（２）。
【請求項４】
前記バネ構造（５０）は、少なくとも一部が弾性変形した状態で、前記遮光部（３０）に対して力を作用させる、
請求項１から３のいずれか１項に記載の空調室内機（２）。
【請求項５】
前記バネ構造（５０）は、前記遮光部（３０）を押し付ける方向に対して略垂直な方向に延び、前記押し付ける方向から見た場合に両端部が前記遮光部（３０）の外側に位置している板状部材（５１）を有している、
請求項１から４のいずれか１項に記載の空調室内機（２）。
【請求項６】
前記板状部材（５１）には、前記押し付ける方向から見た場合に前記両端部が前記遮光部（３０）の外側に位置しているスリット（Ｓ）が設けられている、
請求項５に記載の空調室内機（２）。
【請求項７】
前記バネ構造（５０）は、板バネ（５４）を有している、
請求項１から４のいずれか１項に記載の空調室内機（２）。
【請求項８】
前記遮光部（３０）は、前記第１発光部（２１）を囲む筒状部を有している、
請求項１から７のいずれか１項に記載の空調室内機（２）。
【請求項９】
前記遮光部（３０）が前記パネル（８０）に対して圧接された状態で、前記遮光部（３０）の圧接部分の形状は、前記パネル（８０）の被圧接部分の形状に対応している、
請求項１から８に記載の空調室内機（２）。
【請求項１０】
前記パネル（８０）は、前記遮光部（３０）が前記パネル（８０）に対して圧接された状態で、前記遮光部（３０）の圧接部分の前記パネル（８０）に対する位置を定める位置決め手段（９０）を有する、
請求項１から９のいずれか１項に記載の空調室内機（２）。
【請求項１１】
前記第１発光部（２１）は、少なくとも前記遮光部（３０）と共に発光ユニット（１０）を構成し、
前記パネル（８０）が装着される空調室内機本体（９）をさらに備え、
前記空調室内機本体（９）は、前記発光ユニット（１０）を保持する発光ユニット保持部（５２）を有し、
前記バネ構造（５０）は、前記発光ユニット保持部（５２）と一体形成される、
請求項１から１０のいずれか１項に記載の空調室内機（２）。
【請求項１２】
前記第１発光部（２１）は、少なくとも前記遮光部（３０）と共に発光ユニット（２１０）を構成し、
前記バネ構造（２５０）は、前記発光ユニット（２１０）と一体形成されている、
請求項１から１０のいずれか１項に記載の空調室内機（２０２）。
【発明の詳細な説明】
【技術分野】
【０００１】
本発明は、空調室内機、特に、空調に関する情報を光によって表示する空調室内機に関する。
【背景技術】
【０００２】
従来から、空気調和機の室内機に設けられた表示部には、例えば、運転中、タイマー作動中等の運転状態を示すために、表示部が設けられている。この表示部は、複数のＬＥＤや対応する透過部等によって構成されている。室内に居るユーザは、この表示部を視認することによって空気調和機の運転状態を把握できるようになっている。例えば、室内機の筐体内部のフロントパネル近傍付近に複数のＬＥＤを配置させて、運転中には緑色ＬＥＤを発光させて、タイマー設定中には赤色ＬＥＤを発光させる等によって、運転状態が表示されるようになっている。
【０００３】
このような表示部を備えた従来の室内機には、光漏れを抑えるためのリブがフロントパネルと一体形成されている。フロントパネルは金型成型されるのが一般的であるため、このリブは、フロントパネルの裏側から金型が抜かれる方向に向けて延び、ＬＥＤを略筒形状に覆うようにして設けられている。各ＬＥＤは、フロントパネルの筒状形状のリブに対して金型抜き方向から差し込まれるように挿入され、ＬＥＤの光を進行させる向きを除いて周囲がリブによって覆われた状態となるように配置される。このため、フロントパネルから延びるリブは、筒状部分によって各ＬＥＤの間を仕切ることで、光漏れを抑えている。これにより、ユーザに対して明確に表示部を視認させ、正しい運転状態を把握させることが可能になっている。
【０００４】
ところが、上述した表示部を有する室内機のフロントパネルでは、リブは金型抜き方向に延びて成型されているため、筐体内部におけるＬＥＤの配置が、金型抜き方向から挿入されるものに制限されてしまう。なお、金型抜き方向以外の方向に向けてリブを形成する場合には、複雑な成型工程を行う必要が生じたり、製造コストや部品点数の増大を伴うことが多い。
【０００５】
これに対して、以下の特許文献１において示す室内機のように、光漏れを抑えるためのリブをフロントパネルに一体形成させる代わりに、上述と同様の略筒状形状のリブをＬＥＤと一体化させた構造の室内機が考案されている。このような室内機によると、ＬＥＤの配置が制限的にならないようにすることができる。
【特許文献１】特開平６−３４１６７１号公報
【発明の開示】
【発明が解決しようとする課題】
【０００６】
上述した従来の室内機では、フロントパネルとリブとを組み合わせて室内機を完成させた場合に、フロントパネルとリブとの配置に関して、製造時の寸法誤差等に起因したズレが生じるおそれがある。このため、フロントパネルとリブとの間に隙間が生じてしまう場合がある。そうすると、ＬＥＤの光が、この隙間を通じることにより、意図していない場所から漏れ出してしまうおそれがある。
【０００７】
本発明は上述した点に鑑みてなされたものであり、本発明の課題は、パネルと発光部との配置関係が制限的になることを抑えつつ、光漏れを抑えることが可能な空調室内機を提供することにある。
【課題を解決するための手段】
【０００８】
第１発明に係る空調室内機は、少なくとも空調に関する情報を、光によって表示する空調室内機であって、第１発光部と、パネルと、遮光部と、バネ構造とを備えている。ここでの第１発光部としては、例えば、ＬＥＤ等の発光素子が含まれる。パネルは、第１透過部と、第２透過部とを有している。第１透過部は、第１発光部の光を透過させることができる。第２透過部は、上記パネルにおいて第１透過部の周囲に設けられており、光を透過させることができる。遮光部は、第１発光部の光のうち、少なくとも第２透過部に向かう光を遮る。バネ構造は、遮光部をパネルに押し付ける。ここでの空調に関する情報としては、例えば、空気調和機の冷房運転状態、暖房運転状態、除湿運転状態、設定温度制御のための一次的な運転停止状態、タイマー起動中等の各種運転状態の情報が含まれる。また、ここでの第１透過部と第２透過部とを有するパネルとしては、光透過性の樹脂部分を有するパネル、孔が設けられたパネル等が含まれ、互いに目的や用途が異なるものであってもよい。例えば、第１透過部は第１発光部の光を透過させるために設けられ、第２透過部はリモコン等からの信号を透過させるために設けられている等のパネルも含まれる。
【０００９】
空調室内機のパネルは、一般的に金型成型される。また、パネル側に背面から金型が抜かれる方向に向けて延びるリブがパネルに一体形成され、空調に関する情報を表示するＬＥＤの光の漏れを抑えている。ところが、この場合には、発光部の配置は、金型抜き方向から挿入されるような態様に制限されてしまう。これに対して、従来の空調室内機には、パネルに対する発光部の配置の自由度を向上させるために、パネルとリブとを別体に形成したものがある。しかし、このようにパネルとリブとが別体となっている空調室内機では、パネルとリブとを組み合わせて空調室内機を完成させた状態で、パネルとリブとの間に隙間が生じてしまう場合がある。そうすると、発光部の光が、この隙間を通じることにより、意図していない場所から漏れ出してしまうおそれがある。
【００１０】
これに対して、第１発明の空調室内機では、第１透過部は、第１発光部の光を透過させて、空調に関する情報を表示させることができる。ここで、遮光部は、第１発光部の光のうち、少なくとも第２透過部に向かう光を遮る。これにより、第１発光部の光が第２透過部を透過して漏れ出してしまうことを抑えることができるようになる。
また、パネルに対する遮光部の配置関係は、バネ構造のバネ力によって遮光部がパネルに対して押し付けられることにより定めることが可能になる。このように、ここでは、バネ構造のバネ力を利用しているので、パネルに対する遮光部の配置の自由度を向上させることができる。このように、遮光部のパネルに対する配置の自由度が向上されることにより、第１発光部の配置の自由度も向上させることができる。したがって、金型によってパネルを成型する場合であっても、パネルと遮光部との配置関係を定めることが可能になり、第１発光部のパネルに対する配置が制限的になってしまうことを抑えることができる。
【００１１】
したがって、第１発明の空調室内機では、パネルと第１発光部との配置関係が制限的になることを抑えつつ、光漏れを抑えることが可能になる。
また、例えば、パネルに対する遮光部や第１発光部の配置に自由度を持たせたい場合には、従来のようなリブを不要とすることができるため、パネルの金型成型が困難にならないようにすることが可能になる。
【００１２】
また、例えば、上記空調室内機の製造工程等において、様々な部材の寸法誤差、各部材の配置誤差等の様々な要因によってパネルと遮光部との配置関係に多少の誤差が生じるような場合であっても、上述したバネ構造のバネ力を利用して遮光部が押し当てられているため、このような誤差を補うことができるようになる。
第２発明に係る空調室内機は、第１発明の空調室内機であって、バネ構造によって、遮光部の少なくとも一部はパネルの第１透過部と第２透過部との間に押し付けられる。
【００１３】
ここでは、遮光部の少なくとも一部が、バネ構造によって、パネルの第１透過部と第２透過部との間に押し付けられる。このため、第１透過部と第２透過部との間において、遮光部とパネルとの間の隙間が生じにくいようにすることができる。このため、第１透過部と第２透過部との間における光漏れを効果的に抑えることができる。したがって、ここでは、第１発光部の光が第２透過部に向けて直線的に透過して漏れ出すことを抑えるだけでなく、第１発光部の光がパネルと遮光部との間を回折して第２透過部を透過して漏れ出すことも抑えることが可能になる。
【００１４】
第３発明に係る空調室内機は、第１発明または第２発明の空調室内機であって、第２発光部をさらに備えている。第２発光部は、第２透過部に光を透過させる。そして、遮光部は、第２発光部の光のうち第１透過部に向かう光を遮る。なお、ここでの遮光部は、１つの部材から構成されていてもよいし、第１透過部と第２透過部それぞれに対応した２以上の部材から構成されていてもよい。
【００１５】
空調室内機が発光部を２つ以上備えている場合には、第２透過部からの第１発光部の光の漏れ出しだけでなく、第１透過部からの第２発光部の光の漏れ出しについても問題となる。
これに対して、ここでの遮光部は、第２透過部に向かう第１発光部の光だけでなく、第１透過部に向かう第２発光部の光も遮る。このため、発光部を２つ以上備えている場合であっても、相互に光の漏れ出しを抑えることが可能になる。
【００１６】
また、例えば、第１発光部と第２発光部との発光する色が異なる場合には、相互に光の漏れ出しを抑えるだけでなく、第１発光部の光と第２発光部の光との干渉を抑えることが可能となる。
第４発明に係る空調室内機は、第１発明から第３発明のいずれかの空調室内機であって、バネ構造は、少なくとも一部が弾性変形した状態で、遮光部に対して力を作用させる。
【００１７】
ここでは、バネ構造は、一部が弾性変形した状態で力を作用し、遮光部をパネルに対して押し付ける。このため、バネ構造が弾性変形することによって、パネルに対して押し付けるように遮光板に作用している力のうち余分な力を吸収することができる。このため、パネルと遮光板との密着性をより確実に向上させることができる。
第５発明に係る空調室内機は、第１発明から第４発明のいずれかの空調室内機であって、バネ構造は、板状部材を有している。この板状部材は、遮光部を押し付ける方向に対して略垂直な方向に延びるようにして形成されている。また、この板状部材の両端部は、遮光部を押し付ける方向から見た場合に、遮光部の外側に位置している。なお、板状部材の両端部は、遮光部を押し付ける方向から見た場合に、遮光部との接触部分よりも外側に位置している場合も含まれる。
【００１８】
ここでは、板状部材の両端部は、遮光部を押し付ける方向から見た場合に、遮光部の外側に位置している。このため、板状部材は、遮光部とパネルとが圧接された状態において、遮光部に対する力の掛かり方に応じて湾曲することができる。このため、パネルと遮光部との密着性を向上させることができるようになり、光漏れをより効果的に抑えることが可能になる。
【００１９】
第６発明に係る空調室内機は、第５発明の空調室内機であって、板状部材には、スリットが設けられている。また、このスリットの両端部は、遮光部を押し付ける方向から見た場合に、遮光部の外側に位置している。ここでのスリットは、板状部材において遮光部を押し付ける方向に貫通して複数設けられているスリットが含まれる。また、ここでのスリットは、板状部材において遮光部を押し付ける方向に対して垂直な方向に貫通して設けられているスリットが含まれる。
【００２０】
ここでは、板状部材に、遮光部を押し付ける方向から見た場合に、両端部が遮光部の外側に位置しているスリットが設けられている。このため、スリットが設けられた板状部材は、板状部材自体が湾曲することによる力の吸収だけでなく、スリットによる力の吸収も可能になる。したがって、板状部材は、遮光部とパネルとが圧接された状態において、遮光部に対する力の掛かり方に応じて湾曲することができる。
【００２１】
第７発明に係る空調室内機は、第１発明から第４発明のいずれかの空調室内機であって、バネ構造は、板バネを有している。
ここでは、板バネが、遮光部とパネルとが圧接された状態において、遮光部に対する力の掛かり方に応じて湾曲することができる。このため、パネルと遮光部との密着性を向上させることができるようになり、光漏れをより効果的に抑えることが可能になる。
【００２２】
第８発明に係る空調室内機は、第１発明から第７発明の空調室内機であって、遮光部は、第１発光部を囲む筒状部を有している。
ここでは、遮光部は、第２透過部に向かう第１発光部の光を遮るだけでなく、第１発光部の周囲を覆っている。このため、第１発光部の光が回折することで生じる第２透過部からの光漏れを抑えて、より確実に光漏れを抑えることが可能になる。
【００２３】
第９発明に係る空調室内機は、第１発明から第８発明の空調室内機であって、遮光部がパネルに対して圧接された状態で、遮光部の圧接部分の形状は、パネルの被圧接部分の形状に対応している。
例えば、パネルの被圧接部分が屈曲形状等の場合には、遮光部を単に押し当てるだけではパネルと遮光部との間に隙間が生じてしまい、光漏れを効果的に抑えることができない場合がある。
【００２４】
これに対して、ここでは、遮光部がパネルに対して圧接された状態において、遮光部が、パネルの被圧接部分に対応する形状になっている。このため、遮光部とパネルとの間の隙間を低減させることができ、光漏れをより効果的に抑えることが可能になる。
第１０発明に係る空調室内機は、第１発明から第９発明の空調室内機であって、パネルは、遮光部がパネルに対して圧接された状態で、遮光部の圧接部分のパネルに対する位置を定める位置決め手段を有する。
【００２５】
バネ構造によって遮光部をパネルに対して押し付けることで、パネルと遮光部との押し付け方向における配置を定めることが可能となる。ところが、バネ構造によって遮光部をパネルに対して単に押し付けるだけでは、押し付け方向に対して略垂直な方向における遮光部の配置にバラツキが生じてしまう場合がある。
これに対して、ここでは、パネルが、パネル面上における遮光部の位置を定める位置決め手段を有している。これにより、遮光部の押し付け方向における配置を安定化させるだけでなく、パネル面上における遮光部の配置のバラツキを抑えることが可能になる。このため、光漏れをより効果的に抑えることができるようになる。
【００２６】
第１１発明に係る空調室内機は、第１発明から第１０発明の空調室内機であって、パネルが装着される空調室内機本体をさらに備えている。第１発光部は、少なくとも遮光部と共に発光ユニットを構成している。空調室内機本体は、発光ユニットを保持する発光ユニット保持部を有している。バネ構造は、発光ユニット保持部と一体形成されている。
ここでは、バネ構造が、発光ユニット保持部に対して一体形成されている。このため、バネ構造は、発光ユニット保持部が保持する発光ユニットをパネルに対して押し付けることができる。したがって、バネ構造は、第１発光部と遮光部との配置関係を保ったままで、遮光部をパネルに対して押し付けることが可能になる。
【００２７】
なお、バネ構造が発光ユニット保持部に対して一体形成されることで、部品点数を低減させることが可能になる。また、例えば、発光部とパネルとの圧接に関与する部品点数が低減されることで、パネルに対する発光部の配置を定めるための要素が減少される場合には、発光部の配置をより安定化させることも可能になる。
第１２発明に係る空調室内機は、第１発明から第１０発明の空調室内機であって、第１発光部は、少なくとも遮光部と共に発光ユニットを構成している。また、バネ構造は、発光ユニットと一体形成されている。
【００２８】
ここでは、第１発光部と遮光部とが一体形成された発光ユニットに対して、バネ構造が一体形成されている。このため、バネ構造が、発光ユニットをパネルに対して押し付けることができる。したがって、バネ構造は、第１発光部と遮光部との配置関係を保ったままで、遮光部をパネルに対して押し付けることが可能になる。
なお、バネ構造が発光ユニットと一体形成されることで、部品点数を低減させることが可能になる。また、例えば、発光部とパネルとの圧接に関与する部品点数が低減されることで、パネルに対する発光部の配置を定めるための要素が減少される場合には、発光部の配置をより安定化させることも可能になる。
【００２９】
なお、バネ構造が発光ユニットに一体形成されており、空調室内機の本体側にはバネ構造が設けられていない場合には、バネ構造が一体形成された発光ユニットを必要に応じて用いることができるようになる。
【発明の効果】
【００３０】
第１発明に係る空調室内機によれば、パネルと第１発光部との配置関係が制限的になることを抑えつつ、光漏れを抑えることが可能になる。
第２発明に係る空調室内機によれば、第１発光部の光が第２透過部に向けて直線的に透過して漏れ出すことを抑えるだけでなく、第１発光部の光がパネルと遮光部との間を回折して第２透過部を透過して漏れ出すことも抑えることが可能になる。
【００３１】
第３発明に係る空調室内機によれば、発光部を２つ以上備えている場合であっても、相互に光の漏れ出しを抑えることが可能になる。
第４発明に係る空調室内機によれば、バネ構造が弾性変形することによって、遮光板がパネルに対して押し付けられる力を吸収することができ、パネルと遮光板との密着性をより確実に向上させることができる。
【００３２】
第５発明に係る空調室内機によれば、パネルと遮光部との密着性を向上させることができるようになり、光漏れをより効果的に抑えることが可能になる。
第６発明に係る空調室内機によれば、板状部材は、遮光部とパネルとが圧接された状態において、遮光部に対する力の掛かり方に応じて湾曲することができる。
第７発明に係る空調室内機によれば、パネルと遮光部との密着性を向上させることができるようになり、光漏れをより効果的に抑えることが可能になる。
【００３３】
第８発明に係る空調室内機によれば、第１発光部の光が回折することで生じる第２透過部からの光漏れを抑えて、より確実に光漏れを抑えることが可能になる。
第９発明に係る空調室内機によれば、遮光部とパネルとの間の隙間を低減させることができ、光漏れをより効果的に抑えることが可能になる。
第１０発明に係る空調室内機によれば、遮光部の押し付け方向の配置を安定化させるだけでなく、パネル面上の遮光部の配置のバラツキを抑えることが可能になる。
【００３４】
第１１発明に係る空調室内機によれば、バネ構造は、第１発光部と遮光部との配置関係を保ったままで、遮光部をパネルに対して押し付けることが可能になる。
第１２発明に係る空調室内機によれば、バネ構造は、第１発光部と遮光部との配置関係を保ったままで、遮光部をパネルに対して押し付けることが可能になる。
【発明を実施するための最良の形態】
【００３５】
［第１実施形態］
本発明の第１実施形態に係る空気調和機１の外観斜視図を図１に示す。
＜空気調和機の概略構成＞
この空気調和機１は、室内の壁面等に取り付けられる室内機２と、室外に設置される室外機３とを備えている。
【００３６】
室内機２および室外機３にはそれぞれ熱交換器（図示せず）が備えられており、各熱交換器が冷媒配管４により接続されて冷媒回路を構成している。
また、空気調和機１は、図２に示すように、リモートコントローラ１８からの制御信号（赤外線信号）を受信した場合に、制御信号に基づいた各種の運転を行ったり機能を作動させたりする。室内機２は、運転状態・機能作動中に、ＬＥＤを有する発光ユニット１０（後述する）によって各状態についての表示が行われる。室内にいるユーザは、この発光ユニット１０の表示を視認することで、現在の運転状態等を把握することができる。
【００３７】
なお、図１において矢印Ｄ１で示す方向を上下方向Ｄ１とし、矢印Ｄ２で示す方向を左右方向Ｄ２とし、矢印Ｄ３で示す方向を前後方向Ｄ３として、以下説明する。
＜室内機の構成＞
室内機２は、図２および図５に示すように、本体９と、ケーシング６と、発光ユニット１０（図８参照）等とから構成されている。
【００３８】
なお、図５から図８それぞれで示す断面図は、図３において一点鎖線で示すＡ−Ａ断面の側面視の様子を示している。
本体９は、電装品箱５（図４および図５参照）、図示しない室内熱交換器、クロスフローファン、室内ファンモータ等から構成されている。電装品箱５には、図示しない制御装置が内蔵されており、空気調和機１の冷房、暖房、タイマー等の各種運転制御および表示制御等を行う。
【００３９】
ケーシング６は、背面パネル７と、フロントパネル８とから構成され、内部に本体９等を収納する。背面パネル７は、室内熱交換器やクロスフローファン等（図示せず）等の本体９の背面側を覆う。なお、フロントパネル８は、本体９の前面側を覆うようにして、背面パネル７に対して勘合される。フロントパネル８には、図２および図３に示すように、リモートコントローラ１８からの制御信号を受信するためや、発光ユニット１０による表示を行うための表示パネル８０が設けられている。
【００４０】
発光ユニット１０は、図４および図５に示すように、本体９の一部を構成する電装品箱５に対して取り付けられる。この発光ユニット１０は、電装品箱５に内蔵されている制御装置によって、表示制御等が行われる。
以下、各部の詳細構成について説明する。
（電装品箱の詳細構成）
電装品箱５は、図４および図５に示すように、本体９の一部を構成している。この電装品箱５は、図７に示すように、発光ユニット１０を保持するための被係止孔５２が設けられている。また、電装品箱５のうち発光ユニット１０が保持される部分の周辺においては、バネ構造５０が採用されている。このバネ構造５０は、板状部材５１とスリットＳが設けられている。このスリットＳは、板状部材５１を湾曲状態にすることができるように、遊間として機能する。具体的には、板状部材５１は、図７において矢印で示す方向に力Ｆが加えられると、スリットＳの幅が狭くなる方向にたわみ、力Ｆの掛かり方に応じて弾性変形して湾曲する。板状部材５１は、弾性変形した状態においては、元の形状に戻ろうとする方向、すなわち、力Ｆが働く矢印とは反対方向（以下、押し付け方向という）に向けてバネ力Ｆが働く。このバネ力Ｆは、図６に示すように、電装品箱５と発光ユニット１０と表示パネル８０とが組み合わされて室内機２が完成した状態において、ＬＥＤカバー３１，３２，３３を表示パネル８０に向けて押し付けるように作用する。
【００４１】
なお、板状部材５１は、表示パネル８０に対してＬＥＤカバー３０が押し付けられている状態で弾性変形することにより、ＬＥＤカバー３０に作用している力のうち、余分な力を吸収することができる。このため、表示パネル８０とＬＥＤカバー３０との密着性を確保することができる。
なお、図６に示すように、押し付ける方向から見た場合に、板状部材５１の両端部およびスリットＳの両端部は、発光ユニット１０との圧接部分よりも外側に位置して見えるように配置されている。
【００４２】
（発光ユニットの詳細構成）
発光ユニット１０は、図８に示すように、ＬＥＤ２０、受光素子２４、ＬＥＤカバー３０、発光ユニットケーシング４０等を有している。この発光ユニット１０は、図６に示すように、電装品箱５に対して取り付けられる。また、室内機２が完成した状態においては、発光ユニット１０は、図５および図６において示すように、電装品箱５と表示パネル８０とによって挟持される。
【００４３】
発光ユニットケーシング４０は、図８に示すように、基板４１、本体取り付け用の係止爪４２等を有している。係止爪４２は、上述した電装品箱５の被係止孔５２と係止される。基板４１は、発光ユニット１０の長手方向に向けて延びて形成されている。また、発光ユニットケーシング４０は、図４に示すように、３つの凸形状部４３を有している。この凸形状部４３は、発光ユニットケーシング４０の両側端部分から電装品箱５が配置される側に向けて延びるようにして形成されている。なお、係止爪４２が被係止孔５２と係止した状態において、この３つの凸形状部４３は、板状部材５１に対して当接した状態となる（図４および図６参照）。また、発光ユニット１０は、本体９に対して係止された状態になる。
【００４４】
ＬＥＤ２０は、第１ＬＥＤ２１、第２ＬＥＤ２２および第３ＬＥＤ２３の３つのＬＥＤから構成されている。第１ＬＥＤ２１は、青色に発光することで冷房運転中であることを示す。第２ＬＥＤ２２は、赤色に発光することで暖房運転中であることを示す。第３ＬＥＤ２３は、黄色に発光することでタイマー機能作動中であることを示す。これらの３つのＬＥＤ２１，２２，２３は、図８に示すように、発光ユニットケーシング４０の基板４１に対して取り付けられている。そして、これらのＬＥＤ２１，２２，２３は、上述した電装品箱５の制御装置と接続されて、発光制御される。これにより、室内機２は、空気調和機１の運転状態等を、表示パネル８０を通じて表示できるようになっている。
【００４５】
受光素子２４は、上述したリモートコントローラ１８から送信されてくる制御信号を受信する。この受光素子２４は、後述する表示パネル８０の受光フィルタ８４を介して、制御信号を受信する。
ＬＥＤカバー３０は、第１ＬＥＤカバー３１、第２ＬＥＤカバー３２および第３ＬＥＤカバー３３の３つのカバーが一体形成されることで構成されている。第１ＬＥＤカバー３１，第２ＬＥＤカバー３２および第３ＬＥＤカバー３３は、遮光性樹脂を含有する材料で形成されている。また、図５に示すように、各ＬＥＤカバー３１，３２，３３は、第１ＬＥＤ２１，第２ＬＥＤ２２および第３ＬＥＤ２３の光を、第１透過部８１，第２透過部８２および第３透過部８３に向けてそれぞれガイドする。ＬＥＤカバー３０は、光ガイド方向を軸方向とした場合に、略筒形状にＬＥＤ２０を覆う。また、このＬＥＤカバー３０は、発光ユニットケーシング４０に固定されている。このため、ＬＥＤカバー３０は、室内機２の完成状態において、発光ユニットケーシング４０を介してバネ構造５０からのバネ力Ｆを受けることになる。
【００４６】
これらの第１ＬＥＤカバー３１，第２ＬＥＤカバー３２および第３ＬＥＤカバー３３の軸方向における長さ関係は、表示パネル８０に対して圧接された状態において、表示パネル８０の曲面に対応するように調整されている。また、ＬＥＤカバー３１，３２，３３のうち、バネ構造５０における弾性変形の変位が比較的大きい位置（板状部材中央近傍）に配置されるＬＥＤカバー３３は、この比較的大きな変位に対応するように長さが調整されて設けられている。これにより、板状部材５１のバネ力Ｆが、各ＬＥＤカバー３１、３２，３３に対して均等に働くようになっている。したがって、表示パネル８０とＬＥＤカバー３０との、押し付け方向における配置関係を安定化させることができる。
【００４７】
（表示パネルの詳細構成）
表示パネル８０は、室内機２の正面図の図３に示すように、第１透過部８１、第２透過部８２、第３透過部８３の３つの透過部分と、受光フィルタ８４と、カバー被当接部分９０とを備えている。この表示パネル８０は、所定の金型を用いて成型される。
透過部分は、光透過性の樹脂を含有する材料で形成されており、ＬＥＤ２０の光を透過させる。第１透過部８１は、室内機２が完成した状態においては、図６に示すように、第１ＬＥＤ２１および第１ＬＥＤカバー３１に対応して配置される。これにより、筒形状の第１ＬＥＤカバー３１は、第２透過部８２や第３透過部８３に向かう第１ＬＥＤ２１の光を遮ることができる。第２透過部８２は、上述した第１透過部８１と同様に、第２ＬＥＤ２２および第２ＬＥＤカバー３２に対応して配置される。第３透過部８３についても、上述した第１透過部８１と同様に、第３ＬＥＤ２３および第３ＬＥＤカバー３３に対応して配置される。
【００４８】
受光フィルタ８４は、上述したリモートコントローラ１８から送信されてくる制御信号を透過させる。このように受光フィルタ８４を透過した制御信号は、受光素子２４において受信される。電装品箱５に収納されている制御装置は、受光素子２４において受信される信号に基づいて、各種空調制御、機能作動および表示制御を行うことになる。
カバー被当接部分９０は、図５および図６に示すように、第１被当接部分９１、第２被当接部分９２および第３被当接部分９３の３つから構成されている。このカバー被当接部分９０は、図６に示すように、室内機２が完成した状態においてはバネ力Ｆが作用して、第１被当接部分９１には、第１ＬＥＤカバー３１の先端部分が圧接される。また、第２被当接部分９２に対しては、第２ＬＥＤカバー３２の先端部分が圧接される。さらに、第３被当接部分９３に対しては、第３ＬＥＤカバー３３の先端部分が圧接される。
【００４９】
＜表示パネルとＬＥＤカバーとの圧接関係＞
以下、バネ構造５０のバネ力Ｆの作用および表示パネル８０のカバー被当接部分９０の弾性変形によって生じる力の作用について説明する。また、これらに力の作用によって、表示パネル８０とＬＥＤカバー３０との圧接関係が定められる。
バネ構造５０の板状部材５１は、図６に示すように、室内機２が完成した状態においては、弾性変形した状態となり、元の形状に戻ろうとして、バネ力Ｆが生じる。このバネ力Ｆによって、発光ユニット１０は、表示パネル８０に対して押し付けられる。これにより、発光ユニット１０のＬＥＤカバー３０が表示パネル８０に対して押し付けられることになる。
【００５０】
第１被当接部分９１は、室内機２が完成した状態においてバネ力Ｆが作用して、第１ＬＥＤカバー３１の先端部分が圧接される。これにより、第１ＬＥＤの光が、受光フィルタ８４を介して漏れ出すことを抑えている。
また、第２被当接部分９２は、第２ＬＥＤカバー３２の先端部分が圧接される。これにより、第２ＬＥＤ２２の光が、第１透過部８１から漏れ出さないようにしている。また、第１ＬＥＤ２１の光が、第２透過部８２から漏れ出さないようにしている。
【００５１】
さらに、第３被当接部分９３は、第３ＬＥＤカバー３３の先端部分が圧接される。これにより、第３ＬＥＤ２３の光が、第２透過部８２から漏れ出さないようにしている。また、第２ＬＥＤ２２の光が、第３透過部８３から漏れ出さないようにしている。
また、各ＬＥＤカバー３１，３２，３３の筒径上部の軸方向の長さは、表示パネル８０の湾曲形状およびバネ構造５０による弾性変形の変位の大きさ等が反映された長さになっている。このため、ＬＥＤカバー３０を単に押し当てるだけでは表示パネル８０とＬＥＤカバー３０との間に隙間が生じてしまうおそれがある場合であっても、ＬＥＤカバー３０と表示パネル８０との間の隙間を低減させ、光漏れを抑えている。
【００５２】
＜第１実施形態における室内機の特徴＞
（１）
空気調和機の室内機の表示パネルは、一般的に、金型を用いて成型される。また、表示パネルには、背面側から金型抜き方向に向けて延びるリブが一体形成されている。このリブは、空調の運転情報等を表示するＬＥＤの光の漏れを抑える役割を果たす。ところが、リブが表示パネルに一体形成される場合には、ＬＥＤの配置が、金型抜き方向から挿入されるような態様に制限されてしまう。
【００５３】
これに対して、従来の室内機には、ＬＥＤの配置の自由度を確保するために、表示パネルとリブとを別体に形成したものがある。しかし、このような従来の室内機では、表示パネルとリブとを組み合わせて室内機を完成させた状態で、表示パネルとリブとの間に隙間が生じてしまう場合がある。そうすると、ＬＥＤの光が、この隙間を通じて、意図していない場所から漏れ出してしまうおそれがある。このように、意図しない部分から光漏れが生じてしまうと、ユーザは、運転状態を誤って把握してしまうおそれがある。
【００５４】
これに対して、上記第１実施形態の室内機２では、バネ構造５０のバネ力Ｆによって発光ユニット１０が表示パネル８０に対して押し付けられている。このため、発光ユニット１０のＬＥＤカバー３０の先端部分と表示パネル８０との間に生じうる隙間を少なくすることができる。これにより、意図しない部分からの光漏れを防止でき、発光色が異なるＬＥＤ２０間での光の干渉を防ぐこともできる。これにより、室内機２の運転状態等の表示の視認性を向上させることができる。
【００５５】
さらに、ＬＥＤカバー３０は発光ユニット１０側に形成されており、表示パネル８０とは別体に形成されている。また、ここでは、バネ構造５０のバネ力Ｆを利用してＬＥＤカバー３０と表示パネル８０との配置関係を調整しているので、表示パネル８０に対するＬＥＤカバー３０の配置の自由度を向上させることができる。このように、ＬＥＤカバー３０の表示パネル８０に対する配置の自由度が向上されることにより、ＬＥＤ２０の配置の自由度も向上させることができる。したがって、金型によって表示パネル８０を成型する場合であっても、表示パネル８０とＬＥＤカバー３０との配置関係を定めることが可能になり、ＬＥＤ２０の表示パネル８０に対する配置が制限的にならないようにすることができる。したがって、上記第１実施形態の室内機２では、表示パネル８０とＬＥＤ２０との配置関係が制限的になることを抑えつつ、光漏れを抑えることができる。
【００５６】
また、上記室内機２の製造工程において、仮に、各部材の寸法誤差、配置誤差等により表示パネル８０とＬＥＤカバー３０との配置関係に多少の誤差が生じてしまうおそれがあっても、上記第１実施形態の室内機２では、上述したバネ構造５０のバネ力Ｆを利用してＬＥＤカバー３０が表示パネル８０に対して押し当てられている。このため、バネ構造５０が弾性変形することによって、表示パネル８０に対して押し付けるようにＬＥＤカバー３０に作用している力のうち余分な力を吸収することができる。このため、このような誤差を補って、表示パネル８０とＬＥＤカバー３０との密着性をより確実に向上させることができる。
【００５７】
また、上記第１実施形態の室内機２では、ＬＥＤカバー３０と表示パネル８０とが圧接した状態において、スリット板状部材５１は、ＬＥＤカバー３０に対する力の掛かり方に応じて弾性変形する。このため、表示パネル８０とＬＥＤカバー３０との密着性を向上させることができ、光漏れをより効果的に抑えている。
（２）
上記第１実施形態の室内機２では、バネ構造５０は、電装品箱５の構造の一部として設けられている。このため、別途バネ構造を設ける必要をなくすることができる。また、ＬＥＤカバー３０と表示パネル８０との圧接に関与する部品点数が低減されることで、表示パネル８０に対するＬＥＤカバー３０の配置を定めるための要素が減少される。このため、ＬＥＤカバー３０およびＬＥＤ２０の表示パネル８０に対する配置をより安定化させることができる。
【００５８】
＜第１実施形態の変形例＞
以上、本発明の一実施形態について説明したが、本発明は上記実施形態に限定されるものではなく、発明の要旨を逸脱しない範囲で種々の変更が可能である。
（Ａ）
上記第１実施形態では、バネ構造５０では、板状部材５１の弾性変形を可能にするための遊間として機能するスリットＳが設けられている場合について例に挙げて説明した。
【００５９】
これに対して、本発明のバネ構造５０は、上記バネ構造５０に限られるものではなく、上記第１実施形態のバネ構造５０の断面図の図７に示すように、矢印で示す方向に力Ｆが加えられた場合に、この矢印の反対方向に向けてバネ力Ｆが作用する構造であればよい。
例えば、図９に示すように、バネ構造５０としては、押し付け方向に貫通して、板状部材５１の長手方向に延びた複数の開口５３Ｓが互いに平行に設けられたスリット入り板状部材５３を有する構造でもよい。このスリット入り板状部材５３は、開口５３Ｓが設けられていることで、たわみ易い構造になっている。このスリット板状部材５３は、室内機２が完成した状態で、発光ユニットケーシング４０の３つの凸形状部４３と圧接する（図４および図６参照）。このスリット板状部材５３は、３つの凸形状部４３と圧接する部分近傍がたわむことで、バネ力Ｆをより効果的に作用させることができる。
【００６０】
また、例えば、図１０に示すように、上記バネ構造５０としては、板状部材が湾曲して形成される板バネ５４であってもよい。この場合にも、上記板状部材５１と同様に、押し付け方向に向けてバネ力Ｆを作用させることができ、上記と同様の効果を奏することができる。なお、この板バネ５４は、発光ユニットケーシング４０に対して一体形成されるようにしてもよい。
【００６１】
また、この他にも、例えば、引きバネ（図示せず）によって、表示パネル８０とカバー被当接部分９０とを圧接させてもよい。この場合には、表示パネル８０およびカバー被当接部分９０それぞれにおいて、引きバネを取り付ける引っかけ爪等を設けることにより、バネ力Ｆを作用させる。
（Ｂ）
上記第１実施形態の室内機２では、第１ＬＥＤカバー３１、第２ＬＥＤカバー３２、第３ＬＥＤカバー３３が一体に形成されているＬＥＤカバー３０を例に挙げて説明した。
【００６２】
これに対して、これらの第１ＬＥＤカバー３１、第２ＬＥＤカバー３２、第３ＬＥＤカバー３３は、必ずしも一体形成されているものに限定されず、別体に形成されていてもよい。この場合であっても、上記実施形態の室内機２と同様の効果を奏することができる。
［第２実施形態］
上記第１実施形態の室内機２では、バネ構造５０が、電装品箱５の構造の一部として設けられる場合について例に挙げて説明を行った。
【００６３】
これに対して、室内機２０２のバネ構造２５０は、図１１に示すように、発光ユニット２１０の発光ユニットケーシング２４０の一部として設けられていてもよい。
この場合であっても、上記第１実施形態のバネ構造５０と同様の効果を奏することができる。また、発光ユニット２１０においてバネ構造２５０を採用した場合には、第１実施形態の室内機２のような本体９側のバネ構造５０が必要なくなる。このため、バネ構造２５０による調整の必要性の有無に応じて、バネ構造２５０が設けられていない発光ユニットとバネ構造２５０が設けられた発光ユニット２１０とを選択的に採用することができる。
【００６４】
［第３実施形態］
上記第１実施形態の室内機２では、バネ構造５０が、電装品箱５の構造の一部として設けられる場合について例に挙げて説明を行った。
これに対して、上記バネ構造５０は、電装品箱５に設けられるのではなく、別体の部材として後付するようにしてもよい。この場合にも、上記バネ構造５０と同様の効果を奏することができる。また、バネ構造５０による調整の必要性の有無に応じて、バネ構造５０を選択的に採用することができる。
【００６５】
［第４実施形態］
上記第１実施形態の室内機２では、図６に示すように、ＬＥＤカバー３０と当接するカバー被当接部分９０を有する表示パネル８０を例に挙げて説明した。
これに対して、上述したカバー被当接部分９０は、図１２および図１３において示すように、以下に述べるパネルリブ１９０のような構成であってもよい。
【００６６】
第４実施形態の室内機２が備える表示パネル８０は、表示パネル８０の側断面図の図１２に示すように、パネルリブ１９０を備えている。
このパネルリブ１９０は、第１リブ１９１、第２リブ１９２および第３リブ１９３の３つのリブから構成されている。パネルリブ１９０は、概ね、表示パネル８０の背面側から前後方向Ｄ３の後方に向けて延びている。このパネルリブ１９０が延びている方向は、表示パネル８０が金型成型される場合に、金型が抜かれる方向と略同一方向である。また、パネルリブ１９０が延びる方向は、押し付け方向に対して傾斜している方向でもある。このパネルリブ１９０は、ＬＥＤ２０の光が透過部分を透過するのに妨げにならない程度に延びている。
【００６７】
また、パネルリブ１９０は、先に向かうにつれて上下方向Ｄ１の厚みが薄くなり、先端部分（以下、先細り部分という）が尖った形状になるように形成されている。この先細り部分は、上下方向Ｄ１の厚みが少なくなっているため、所定の力以上の力が加わると弾性変形する。なお、図１３に示すように、室内機２が完成した状態においてはバネ力Ｆが作用して、第１リブ１９１には、第１ＬＥＤカバー３１の先端部分が圧接される。また、第２リブ１９２に対しては、第２ＬＥＤカバー３２の先端部分が圧接される。さらに、第３リブ１９３に対しては、第３ＬＥＤカバー３３の先端部分が圧接される。
【００６８】
以下、バネ構造５０のバネ力Ｆの作用および表示パネル８０のパネルリブ１９０の弾性変形によって生じる力の作用について説明する。また、これらに力の作用によって、表示パネル８０とＬＥＤカバー３０との圧接関係が定められる。
バネ構造５０の板状部材５１は、図１３に示すように、室内機２が完成した状態においては、弾性変形した状態となり、元の形状に戻ろうとして、バネ力Ｆが生じる。このバネ力Ｆによって、発光ユニット１０は、表示パネル８０に対して押し付けられる。これにより、発光ユニット１０のＬＥＤカバー３０が表示パネル８０に対して押し付けられることになる。
【００６９】
なお、このＬＥＤカバー３０が押し付けられているパネルリブ１９０は、先細り部分が弾性変形することでＬＥＤカバー３０を通じたバネ力Ｆを吸収して、ＬＥＤカバー３０と表示パネル８０との密着性を向上させる。具体的には、図１３に示すように、ＬＥＤカバー３０が押し付けられる方向を基準とすると、パネルリブ１９０は、傾斜する方向に向けて表示パネル８０から延びている。このため、ＬＥＤカバー３０とパネルリブ１９０とは、互いに滑らせ合いながら、所定の許容範囲において弾性変形することで、密着性を向上させている。
【００７０】
第１リブ１９１の先細り部分は、室内機２が完成した状態においてバネ力Ｆが作用して、第１ＬＥＤカバー３１の先端部分が圧接され、弾性変形する。これにより、第１ＬＥＤの光が、受光フィルタ８４を介して漏れ出すことを抑えている。
また、第２リブ１９２は、第２ＬＥＤカバー３２の先端部分が圧接され、弾性変形する。これにより、第２ＬＥＤ２２の光が、第１透過部８１から漏れ出さないようにしている。また、第１ＬＥＤ２１の光が、第２透過部８２から漏れ出さないようにしている。
【００７１】
さらに、第３リブ１９３は、第３ＬＥＤカバー３３の先端部分が圧接され、弾性変形する。これにより、第３ＬＥＤ２３の光が、第２透過部８２から漏れ出さないようにしている。また、第２ＬＥＤ２２の光が、第３透過部８３から漏れ出さないようにしている。
また、パネルリブ１９０の先細り部分も弾性変形することで、ＬＥＤカバー３０の押し付け方向における配置を安定化させるだけでなく、表示パネル８０の裏面上におけるＬＥＤカバー３０の配置にバラツキが生じないようにしている。
【００７２】
このように、上記第４実施形態の室内機２においては、表示パネル８０にパネルリブ１９０が形成されている。このパネルリブ１９０は、ＬＥＤカバー３０が圧接された状態において、先細り部分が弾性変形してＬＥＤカバー３０の配置を調整することができる。また、パネルリブ１９０は、ＬＥＤカバー３０が押し付けられる方向に対して傾斜するようにして形成されている。このため、ＬＥＤカバー３０の先端部分をパネルリブ１９０に対して滑らせて自由度を持たせながら、互いの配置関係を調整することができる。したがって、ＬＥＤカバー３０と表示パネル８０との間の隙間をより少なくして密着性をさらに向上させ、光漏れをより効果的に抑えている。
【００７３】
また、上記第４実施形態の室内機２においては、表示パネル８０のパネルリブ１９０は、金型成型において金型抜きが容易になる方向に向けて延びている。このため、表示パネル８０の形成が容易になる。また、表示パネル８０とパネルリブ１９０とが一体形成されているため、部品点数を削減させることができる。
【産業上の利用可能性】
【００７４】
本発明に係る空調室内機によれば、パネルと発光部との配置関係が制限的になることを抑えつつ、光漏れを抑えることが可能となるため、空調に関する情報を表示する場合に光を用いる空調室内機への適用が特に有用である。
【図面の簡単な説明】
【００７５】
【図１】第１実施形態の空気調和機の外観構成図。
【図２】室内機とリモートコントローラとの概略構成図。
【図３】室内機の正面図。
【図４】室内機の内部の表示ユニット周辺の斜視図。
【図５】室内機の前方の側断面図。
【図６】表示ユニットと表示パネルとの圧接状態を示す側断面図。
【図７】電装品箱のバネ構造部分近傍の側断面図。
【図８】表示ユニットの側断面図。
【図９】変形例（Ａ）に係るスリット板状部材の概略図。
【図１０】変形例（Ａ）に係る板バネの圧接状態を示す側断面図。
【図１１】第２実施形態の室内機に係る表示ユニットと表示パネルとの圧接状態を示す側断面図。
【図１２】第４実施形態の室内機に係る表示パネルの断面図。
【図１３】第４実施形態の室内機に係る表示ユニットと表示パネルとの圧接状態を示す側断面図。
【符号の説明】
【００７６】
２    空調室内機（室内機）
９    空調室内機本体（本体）
１０    発光ユニット
２１    第１発光部（第１ＬＥＤ）
２２    第２発光部（第２ＬＥＤ）
３０    遮光部（ＬＥＤカバー）
５０    バネ構造
５１    板状部材
５２    発光ユニット保持部（被係止爪）
５４    板バネ
８０    パネル（表示パネル）
８１    第１透過部（透過部分）
８２    第２透過部（透過部分）
９０    位置決め手段（カバー被当接部分）
１９０    位置決め手段（パネルリブ）
２０２    空調室内機（室内機）
２１０    発光ユニット
２５０    バネ構造
Ｓ    スリット
【図１】
2006132843.tif 000003
【図２】
2006132843.tif 000004
【図３】
2006132843.tif 000005
【図４】
2006132843.tif 000006
【図５】
2006132843.tif 000007
【図６】
2006132843.tif 000008
【図７】
2006132843.tif 000009
【図８】
2006132843.tif 000010
【図９】
2006132843.tif 000011
【図１０】
2006132843.tif 000012
【図１１】
2006132843.tif 000013
【図１２】
2006132843.tif 000014
【図１３】
2006132843.tif 000015